(57)【要約】      （修正有）【課題】冷却気流をイオン化し、霜の発生を押え得る冷却装置を提供する。【解決手段】冷却エリア１２から気流を吸入しながら、吸入した気流を冷凍機３の蒸発器３１によって冷却してから再び冷却エリア１２へと送出する冷却装置において、蒸発器３１の直前に、電場生成器４を、冷却エリア１２から吸入した気流に含まれている水蒸気を、直流電圧をかけることにより凝結を抑えることができる程度に帯電させることができるように配置構成する。【選択図】図１
0003150685.tif 000002
【実用新案登録請求の範囲】
【請求項１】
冷却エリアから気流を吸入しながら、吸入した気流を冷凍機の蒸発器によって冷却してから再び前記冷却エリアへと送出する冷却装置において、
前記蒸発器の直前に、電場生成器が、前記冷却エリアから吸入した気流に含まれている水蒸気を、直流電圧をかけることにより凝結を抑えることができる程度に帯電させることができるように配置構成されていることを特徴とする冷却装置。
【請求項２】
蒸発器エリア及び冷却エリアを有する貯蔵空間と、
前記貯蔵空間内に、前記冷却エリアから前記蒸発器エリアへと冷却する気流を流す前進通路とも、前記蒸発器エリアから前記冷却エリアへと冷却した気流を流す回流通路ともなるように設置されていて空気循環通路を造る空気循環器と、
前記蒸発器エリアに配置されている蒸発器及び膨張弁と、前記貯蔵空間の外部に配置されている圧縮器及び凝縮器とを有する冷凍機と、
電場生成器と、が設けられており、
また、前記蒸発器は、冷媒を蒸発する導管部と、前記導管部の上流側に配置されていて冷媒を導入する入口部と、前記導管部の下流側に配置されていて冷媒を導出する出口部と、からなっており、
前記圧縮器は、前記出口部から出た蒸気冷媒を圧縮してから送出することができるように、前記出口部の直後に配置されており、
前記凝縮器は、前記圧縮器が圧縮した蒸気冷媒を冷却により液体冷媒に凝縮させてから前記蒸発器の入口部へと送ることができるように、前記圧縮器と前記蒸発器の入口部との間に配置されており、
前記膨張弁は、前記凝縮器から前記蒸発器の入口部へ送られる液体冷媒をフラッシュ蒸発させることができるように、前記凝縮器と前記蒸発器の入口部との間に配置されており、
前記電場生成器は、前記蒸発器エリアに、冷却する気流に含まれている水蒸気を直流電圧をかけることにより凝結を抑えることができる程度に帯電させることができるように配置構成されていることを特徴とする冷却装置。
【請求項３】
前記電場生成器は、前記空気循環通路における蒸発器の上流側に配置されていてそれを通過する気流に含まれている水蒸気に直流電圧をかけ得るグリッドを含めていることを特徴とする請求項２に記載の冷却装置。
【請求項４】
前記直流電圧は、５０００ボルト以下であることを特徴とする請求項２又は請求項３に記載の冷却装置。
【請求項５】
前記直流電圧は、３０００〜５０００ボルトの範囲にあることを特徴とする請求項２乃至請求項４のいずれか一項に記載の冷却装置。
【請求項６】
前記空気循環器は、換気を行うファンを含めていることを特徴とする請求項２乃至請求項５のいずれか一項に記載の冷却装置。
【請求項７】
前記空気循環器は、前記空気循環通路における電場生成器の上流側の、前記前進通路に配置されていることを特徴とする請求項２乃至請求項６のいずれか一項に記載の冷却装置。
【請求項８】
前記空気循環器は、前記空気循環通路における蒸発器の下流側の、前記回流通路に配置されていることを特徴とする請求項２乃至請求項６のいずれか一項に記載の冷却装置。
【考案の詳細な説明】
【技術分野】
【０００１】
本考案は、冷却装置に関し、特に、所定空間の気流を循環させながら冷却し、該空間を冷却エリアとする冷却装置に関するものである。
【背景技術】
【０００２】
ここで言う冷却装置は、所定空間から気流を吸入しながら、吸入した気流を冷凍機の蒸発器によって冷却してから再び前記冷却エリアへと送出し、前記所定空間を冷却エリアとするものであり、大概、吸収式冷凍機を使用している吸収型と、圧縮式冷凍機を使用している圧縮型とに分けられ、いずれも、貯蔵空間、ファン、及び冷凍機が設けられている。
【０００３】
圧縮型冷却装置を例として説明すれば、前記貯蔵空間は、冷凍機の蒸発器が配置されている蒸発器エリアと、食べ物などを貯蔵する冷却エリアとからなっているものである。
【０００４】
前記ファンは、前記貯蔵空間内に、前記冷却エリアから前記蒸発器エリアへと冷却する気流を流す前進通路とも、前記蒸発器エリアから前記冷却エリアへと冷却した気流を流す回流通路ともなるように設置されていて空気循環通路を造るものである。
【０００５】
前記冷凍機は、前記蒸発器エリアに配置されている蒸発器及び膨張弁と、前記貯蔵空間の外部に配置されている圧縮器及び凝縮器とから、冷媒の熱力学的循環、即ち、冷凍機は、蒸発器から出た蒸気冷媒を圧縮器で圧縮してから、圧縮した蒸気冷媒を凝縮器で液化させ、そして、生成した液体冷媒を膨張弁で圧力を瞬間的に下げて膨張させながら蒸発器に蒸発させて器外にある気流から熱量を吸収して該気流を冷却するという機能を連続的に行うことができるように、配置構成されているものである。
【０００６】
しかしながら、前記従来の冷却装置は、吸収型であれ、圧縮型であれ、いずれも食べ物などを貯蔵する冷却エリアの気流を循環させながら冷却することにより該冷却エリアを低温に保って食べ物などを新鮮に保存することができるが、冷媒の蒸発により循環気流（特に冷却する気流）から熱量を取り去る蒸発器の表面が常に氷点以下の温度になっているため、循環気流に含まれている水蒸気が蒸発器の表面に霜となって付着し、段々と厚くなり、蒸発器と循環気流との間の熱交換を悪くさせ、冷却装置全体の冷却効果を悪化させるので、通常、タイマーやセンサー付きの加熱ユニットにより蒸発器の表面から霜を定時的にまたは所定の厚さになる時点に取り除く霜取り措置が取られているが、こういう措置の採用は、作動中のある時期に霜取りをする必要がある上、霜取りの時に、食べ物などを貯蔵する冷却エリア内の温度を不安定させ、食べ物などの貯蔵に不利を与える欠点がある。
【０００７】
因みに、ＷＯ２００５／１１６５４８Ａ１に開示されている冷却装置は、循環気流をイオン化させることにより気流中にある微生物を破壊する措置を取っているが、その記載には、霜取りについて前記従来の措置とまったく同じであり、気流のイオン化による霜取りについては開示も示唆もされず全然触れられていない。
【先行技術文献】
【特許文献】
【０００８】
【特許文献１】ＷＯ２００５／１１６５４８
【考案の概要】
【考案が解決しようとする課題】
【０００９】
前記問題点を解消するために、本考案は、冷却作動中に霜の形成が抑えられつつあり、特に時期を見て霜取りをする必要がない冷却装置を提供することを目的とする。
【課題を解決するための手段】
【００１０】
前記目的を達成するために、本考案は、まず、冷却エリアから気流を吸入しながら、吸入した気流を冷凍機の蒸発器によって冷却してから再び前記冷却エリアへと送出する冷却装置において、前記蒸発器の直前に、電場生成器が、冷却エリアから吸入した気流に含まれている水蒸気を、直流電圧をかけることにより凝結を抑えることができる程度に帯電させることができるように配置構成されていることを特徴とする冷却装置を提供する。
【００１１】
前記構成による冷却装置は、吸収式冷凍機を使用している吸収型にも、圧縮式冷凍機を使用している圧縮型にも適用されるが、圧縮型の実施態様として、蒸発器エリア及び冷却エリアを有する貯蔵空間と、前記貯蔵空間内に、前記冷却エリアから前記蒸発器エリアへと冷却する気流を流す前進通路とも、前記蒸発器エリアから前記冷却エリアへと冷却した気流を流す回流通路ともなるように設置されていて空気循環通路を造る空気循環器と、前記蒸発器エリアに配置されている蒸発器及び膨張弁と、前記貯蔵空間の外部に配置されている圧縮器及び凝縮器とを有する冷凍機と、電場生成器と、が設けられており、また、前記蒸発器は、冷媒を蒸発する導管部と、前記導管部の上流側に配置されていて冷媒を導入する入口部と、前記導管部の下流側に配置されていて冷媒を導出する出口部と、からなっており、前記圧縮器は、前記出口部から出た蒸気冷媒を圧縮してから送出することができるように、前記出口部の直後に配置されており、前記凝縮器は、前記圧縮器が圧縮した蒸気冷媒を冷却により液体冷媒に凝縮させてから前記蒸発器の入口部へと送ることができるように、前記圧縮器と前記蒸発器の入口部との間に配置されており、前記膨張弁は、前記凝縮器から前記蒸発器の入口部へ送られる液体冷媒をフラッシュ蒸発させることができるように、前記凝縮器と前記蒸発器の入口部との間に配置されており、前記電場生成器は、前記蒸発器エリアに、冷却する気流に含まれている水蒸気を直流電圧をかけることにより凝結が抑えられる程度に帯電させることができるように配置構成されている冷却装置が挙げられる。
【考案の効果】
【００１２】
前記構成による本考案の冷却装置を使用すれば、前記電場生成器を通してから前記蒸発器に入る循環気流に含まれている水蒸気分子は帯電したものになるので、蒸発器の表面に凝結しにくいものとなり、蒸発器の表面に霜とならず、仮に若干霜となっても、他の帯電した水蒸気分子と凝集しにくく、循環気流に容易に携え去られ、特に時期をみて霜取りをする必要がない。
【図面の簡単な説明】
【００１３】
【図１】本考案の第１実施形態に係る冷却装置を示す略示図である。
【図２】本考案の第２実施形態に係る冷却装置を示す略示図である。
【図３】本考案の冷却装置における電場生成器を示す略示図である。
【考案を実施するための形態】
【００１４】
図１に示したように、本考案の第１実施形態に係る冷却装置は、貯蔵空間１と、空気循環器２と、冷凍機３と、電場生成器４とが設けられている。
【００１５】
貯蔵空間１は、蒸発器エリア１１、及び食べ物などを貯蔵する冷却エリア１２を有する。
【００１６】
空気循環器２は、貯蔵空間１内に、冷却エリア１２から蒸発器エリア１１へと冷却する気流を流す前進通路Ａとも、蒸発器エリア１１から冷却エリア１２へと冷却した気流を流す回流通路Ｂともなるように設置されていて空気循環通路を造る。
【００１７】
冷凍機３は、蒸発器エリア１１に配置されている蒸発器３１及び膨張弁３４と、貯蔵空間１の外部に配置されている圧縮器３２及び凝縮器３３を有する。
【００１８】
また、蒸発器３１は、冷媒を蒸発する導管部３１１と、導管部３１１の上流側に配置されていて冷媒を導入する入口部３１２と、導管部３１１の下流側に配置されていて冷媒を導出する出口部３１３と、からなっている。導管部３１１内の冷媒は、それの外部を通る気流、即ち、冷却する気流から蒸発熱程度の熱量を奪ってから蒸発する。それで、導管部３１１の外側表面を通した気流が、冷却した気流となって冷却エリア１２へ回流して、冷却エリア１２を予定範囲内の低温に維持する。
【００１９】
圧縮器３２は、出口部３１３から出た蒸気冷媒を圧縮してから凝縮器３３へと高圧蒸気冷媒を送るように、出口部３１３と凝縮器３３との間に配置されている。
【００２０】
凝縮器３３は、前記高圧蒸気冷媒を液化させてから膨張弁３４へと液体冷媒を送るように、圧縮器３２と膨張弁３４との間に配置されている。
【００２１】
膨張弁３４は、凝縮器３３から入口部３１２へ送る液体冷媒をフラッシュ蒸発させるように、凝縮器３３と入口部３１２との間に配置されている。
【００２２】
図３に示したように、電場生成器４は、蒸発器エリア１１に、冷却する気流に含まれている水蒸気を直流電圧をかけることにより凝結を抑えることができる程度に帯電させることができるように配置構成されており、且つ、整流器４３と、直流／直流電圧変換器４２と、グリッド４１とからなっている。
【００２３】
電場生成器４は、その整流器４３で外部からの交流電圧を直流電圧に変換してから、直流／直流電圧変換器４２で目標の直流電圧まで上昇させ、最後に、グリッド４１に印加して、電場を生成する。
【００２４】
グリッド４１は、前記空気循環通路における蒸発器３１の上流側に配置されていてそれを通過する気流（前記冷却する気流）に含まれている水蒸気に直流電圧をかけるものである。
【００２５】
本考案の電場生成器４では、５０００ボルト以下の直流電圧をグリッド４１にかけることが好ましく、３０００〜５０００ボルトの範囲にある直流電圧をかけるのがより好ましい。それは、前記電圧範囲内の電場を通過した水蒸気は、凝結が抑えられる程度に帯電し、殆ど蒸発器３１の外側表面に凝結して霜とならないからである。
【００２６】
また、グリッド４１の数量は、１枚に限らず、直流電圧を２枚以上のグリッド４１にかけると、蒸発器の外側表面での霜形成の抑制が１枚より効果的だからである。そしてまた、水蒸気の帯電状態は、短時間で消えるので、グリッド４１が蒸発器３１とあまり離れると、水蒸気が蒸発器３１の表面で霜となりやすいため、グリッド４１は、蒸発器３１に隣接することが好ましい。
【００２７】
本考案の第１実施態様の空気循環器２は、換気を行うファン２１を含めており、このファン２１は、前記空気循環通路における電場生成器４の上流側の、前記前進通路Ａに配置されている（図１参照）。
【００２８】
本考案の第２実施形態において、第１実施形態と同一の部分については、同じ符号を付して説明を省略する。
【００２９】
図２に示したように、本考案の第２実施形態に係る冷却装置は、空気循環器２のファン２１が前記空気循環通路における蒸発器３１の下流側の、前記回流通路Ｂに配置されていること以外、他の構成が全て第１実施形態の冷却装置と同様である。
【産業上の利用可能性】
【００３０】
叙上のように、本考案の構成による冷却装置を使用すれば、前記電場生成器を通してから前記蒸発器に入る循環気流に含まれている水蒸気分子は帯電したものになるので、蒸発器の表面に凝結しにくいものとなり、蒸発器の表面に霜とならず、仮に若干霜となっても、他の帯電した水蒸気分子と凝集しにくく、循環気流に容易に携え去られ、特に時期をみて霜取りをする必要がなく、食物などの保存に有利である。
【符号の説明】
【００３１】
１  貯蔵空間
１１  蒸発器エリア
１２  冷却エリア
２  空気循環器
２１  ファン
３  冷凍機
３１  蒸発器
３１１  導管部
３１２  入口部
３１３  出口部
３２  圧縮器
３３  凝縮器
３４  膨張弁
４  電場生成器
４１  グリッド
４２  直流／直流電圧変換器
４３  整流器
Ａ  前進通路
Ｂ  回流通路
【図１】
0003150685.tif 000003
【図２】
0003150685.tif 000004
【図３】
0003150685.tif 000005